(57)【特許請求の範囲】
【請求項１】
床に固定された脚体上に天板を支持してなる机を、前後方向に適宜の間隔を置いて複数設置し、前記机の各々の後方に設置した椅子が、床に固定されたベースと、該ベースに対して前後方向に回動可能に枢支された上下方向を向く脚支柱と、該脚支柱に取り付けられた座板と、からなり、前記脚支柱の前方への回動によって、前記天板の下方に収容される椅子において、
前記座板の後端部に、その先端が上方を向く腰支持部を形成し、該先端の部分が、収容状態において、前記天板より下方であって、かつ、前記脚支柱が後方へ回動して椅子を使用する状態において、該椅子の後方に配置された机の天板より下方前面に近接するようにし、椅子の使用時における前記腰支持部の先端位置は後方の机の前面に設けた背支持部より下方にあることを特徴とする椅子。
【請求項２】
前記脚支柱の上端部には、前記座板を前傾して取り付ける傾斜部が形成されていることを特徴とする請求項１に記載の椅子。
【請求項３】
前記椅子の収容状態における前記腰支持部の先端の部分は、天板の後端部に対して斜め後方に位置することを特徴とする請求項１または２に記載の椅子。
【請求項４】
前記椅子は、机の長手方向に沿って、複数配置されたことを特徴とする請求項１ないし３のいずれかに記載の椅子。
【発明の詳細な説明】
【技術分野】
【０００１】
本発明は、主として教室や講義室等で使用される椅子に係り、特に椅子の使用時に机の下方に椅子を収容する収容位置から脚支柱の回動によって机の後方の使用位置に移動する椅子に関する。
【背景技術】
【０００２】
従来、学校等に配置される教室用の椅子と机は、床に固定された脚体に天板を支持してなる机を前後方向に適宜の間隔を置いて複数配置し、机の各々の後方に椅子が配置されるものが多い。これらの椅子は、床に固定される基部と、背と座とを一体的に結合された着座部と、基部に下端部を前後方向に移動可能に連設されるとともに、着座部に上端部を前後方向に移動可能に連設された複数の脚部と、脚部の移動を一定範囲に規制する移動規制部と、を備えており、この構造により椅子の使用時には、着座部を机の後方の使用位置に移動して着座し、椅子の不使用時には、座板を使用位置から前方に移動して机の下方に収容するようになっている。（例えば、特許文献１参照）。
【０００３】
【特許文献１】特許第３７５１８０２号（第５頁、第９図）
【発明の開示】
【発明が解決しようとする課題】
【０００４】
しかしながら、特許文献１に記載の椅子にあっては、椅子を使用する際、該椅子の後方に配置された机を使用する着座者が手を伸ばした状態で前傾し、該机の天板の前方側面に手をかけた休息姿勢で前記机の後方の椅子に着座している場合には、着座部を後方に移動させると、着座部の座と天板の前方側面とにより着座者の手指が挟まり、怪我等の事故が発生するといった虞があった。
【０００５】
本発明は、このような問題点に着目してなされたもので、椅子を使用する際、着座部が後方に移動しても事故防止できる安全な椅子を提供することを目的とする。
【課題を解決するための手段】
【０００６】
前記課題を解決するために、本発明の請求項１に記載の椅子は、床に固定された脚体上に天板を支持してなる机を、前後方向に適宜の間隔を置いて複数設置し、前記机の各々の後方に設置した椅子が、床に固定されたベースと、該ベースに対して前後方向に回動可能に枢支された上下方向を向く脚支柱と、該脚支柱に取り付けられた座板と、からなり、前記脚支柱の前方への回動によって、前記天板の下方に収容される椅子において、
前記座板の後端部に、その先端が上方を向く腰支持部を形成し、該先端の部分が、収容状態において、前記天板より下方であって、かつ、前記脚支柱が後方へ回動して椅子を使用する状態において、該椅子の後方に配置された机の天板より下方前面に近接するようにし、椅子の使用時における前記腰支持部の先端位置は後方の机の前面に設けた背支持部より下方にあることを特徴としている。
この特徴によれば、使用者が着座するために座板を脚支柱を介して後方に回動した場合、椅子の腰支持部の先端の部分と該椅子の後方に配置された机の脚体の天板支持部との間にスペースが確保された状態で脚支柱が後方へ回動し、該椅子が着座可能の状態になるため、後方にいる着座者の手指を挟む事故等を防止することができる。また、椅子を使用する状態において、腰支持部が後方の机の天板より下方前面に近接するように配置されるので、机同士を小さな間隔で設置することができる。更に椅子の使用時に腰支持部が後方の背支持部と干渉することなく回動でき、かつ腰支持部と背支持部を利用して着座者が疲れにくく安定した座り心地を得ることができる。
【０００７】
本発明の請求項２に記載の椅子は、請求項１に記載の椅子であって、
前記脚支柱の上端部には、前記座板を前傾して取り付ける傾斜部が形成されていることを特徴としている。
この特徴によれば、座板が前方に低くなるように前傾して脚支柱に取り付られているので脚支柱を大きく回動させなくても、椅子を収容状態に配置することができる。このため、ベースをより机に近接した位置に配置することができ、机間の前後方向の間隔を短くすることが可能となる。これにより講義室等の所定の空間に机及び椅子を有効に配置することできる。また、ベースをより机に近接した位置に配置することができることにより、椅子と該椅子の後方に配置された机との間に十分なスペースが確保できるため、通行者が容易に前記椅子の後方を通行することができる。
【０００９】
本発明の請求項３に記載の椅子は、請求項１または２に記載の椅子であって、
前記椅子の収容状態における前記腰支持部の先端の部分は、天板の後端部に対して斜め後方に位置することを特徴としている。
この特徴によれば、椅子の収容状態において腰支持部の先端の部分と机の天板の後端部との間にスペースが確保されることにより、このスペースを利用して着座者が腰支持部の先端の部分を把持することができるため、座板を回動させやすい。
【００１０】
本発明の請求項４に記載の椅子は、請求項１ないし３のいずれかに記載の椅子であって、
前記椅子は、机の長手方向に沿って、複数配置されたことを特徴としている。
この特徴によれば、講義室等の人を大勢収容することを目的とした空間に多くの椅子及び机を整列状態で配置することができ、空間を有効に利用することができる。また、椅子が机の長手方向に沿って複数配置されても、椅子と該椅子の後方に配置された机との間に十分なスペースが確保されているため、窮屈な姿勢をとることなく着座できるばかりか、椅子と該椅子の後方に配置された机との間を通行しやすく清掃作業等もスムーズに行うことができる。
【発明を実施するための最良の形態】
【００１１】
本発明に係る椅子を実施するための最良の形態を実施例に基づいて以下に説明する。
【実施例】
【００１２】
本発明の実施例を図面に基づいて説明すると、先ず図１は本発明の実施例における教育施設等の講義室内に机と椅子が配置された全体像を示す斜視図であり、図２は、図１の側面図であり、図３は、着座者が未だ着座していない状態を示す側面図であり、図４は、脚支柱が回動している状態を示す側面図であり、図５は、着座者が着座している状態を示す側面図であり、図６は、着座者が起立した後の椅子の状態を示す側面図であり、図７は、椅子の収容状態において通行者が椅子の後方を通行する状態を示す側面図であり、図８は、着座者が着座している状態において通行者が椅子の後方を通行する状態を示す側面図である。以下、図１、図２の紙面左側を椅子の前方側とし、紙面右側を椅子の後方側とし、図１の紙面上側を椅子の左方側とし、紙面下側を椅子の右方側とし、図２の紙面上側を椅子の上方側とし、紙面下側を椅子の下方側として説明する。
【００１３】
図１に示されるように、教育機関等や講義室１内には、前後方向に適宜の間隔を置いて複数設置された机２ （本実施例においては３列で構成されている）と、各机２の後方に設置した椅子３と、最後部に設置された境界ボード４と、が配置されている。
【００１４】
机２は、矩形状の天板５と、天板を支持する脚体６と、脚体６を補強する補強板７と、脚体６に取り付けた天板支持材８及び脚ベース体９と、で構成されている。
【００１５】
天板５は天板支持材８と脚体６の上端面６ａとで支持され、脚体６はその下端面と脚ベース体９により机２を安定的に立脚支持している。
【００１６】
さらに、２列目及び最後列の机２及び境界ボード４の前面上部には、着座者が着座している状態において着座者の背中が支持される背支持部１０が形成されている。好ましくは、背支持部１０上端部は天板５上面から下方に向かってラウンド状に形成されており、背中が当接しても不快感がないように構成されている。尚、本実施例においては、最前列の机２には、その前方に着座者が着座することがないので、背支持部１０が設けられていない。
【００１７】
最後列の机２の後方に設けられている境界ボード４は、脚体６と、補強板７と、背支持部１０と、脚ベース体９と、から形成されている。尚、境界ボード４の各構成部材は、２列目及び最後列の机２において天板５と天板支持材８が設けられない構造とほぼ同様の構成であるため、その説明を省略する。
【００１８】
椅子３は、机２の左右方向、すなわち机２の長手方向に沿って、複数（本実施例において３脚）配置されており、この椅子３は、主に着座者の着座姿勢を支持する座板１１と、椅子３を前後方向に回動する脚支柱１２と、座板１１及び脚支柱１２を支持するベース１３と、から形成されている。
【００１９】
座板１１は、側面視略Ｌ字状に形成されており、この座板１１の下方側面に、脚支柱１２に取り付けられる取付板１１ｃが形成されている。
【００２０】
また座板１１には、着座者が着座している状態において着座者の腰を支持する腰支持部１１ａを有しており、この腰支持部１１ａは、座板１１の後端部から上方に向かって延設されている。また、腰支持部１１ａの上方部における先端の部分（以下、先端部という）１１ｂが後述する椅子３の収容状態において天板５よりも下方に位置するとともに、該先端部１１ｂが天板５の後方における後端部５ａに対して斜め後方に位置している（図２参照）。そして、後で詳述するが、脚支柱１２が後方へ回動して椅子を使用する状態においては、腰支持部１１ａの先端部１１ｂが、該椅子３の後方に配置された机２の天板５の下方前面に近接されるとともに、該先端部１１ｂが背支持部１０よりも下方に位置している（図５参照）。
【００２１】
脚支柱１２は金属等のパイプから形成されており、この脚支柱１２の内部は中空に形成されており、この脚支柱１２の上端部には、座板１１の取付板１１ｃに取り付けられる取付部材１２ａが設けられている。また、この取付部材１２ａの取付板１１ｃへの取付面は前方が下がるような傾斜面として形成されており、座板１１が脚支柱１２に取り付けられた状態では、座板１１が脚支柱１２に対して前傾した状態になっている。
【００２２】
ベース１３は、基部１３ａと基部１３ａと一体の蓋部１３ｂと蓋部１３ｂ内に内設されたバネ等からなる付勢部材とから成り、床面１４に基部１３ａがネジにより固定的に取り付けられ、蓋部１３ｂは脚支柱１２の下方端部を被覆している。さらに、この蓋部１３ｂの内部で、脚支柱１２の下方端部が枢着されている。
【００２３】
蓋部１３ｂの内部の構成は、特に図示しないが、基部１３ａは、左右方向を向く軸棒を有し、この軸棒により脚支柱１２が前後方向に回動可能に枢支されている。さらに、この軸棒まわりには、一端を脚支柱１２の前方の内周面に弾接させ、他端をベース１３に弾接させることにより脚支柱１２をベースに対して前方に付勢する付勢手段たるバネ１３ｃが巻回されている（図２参照）。
【００２４】
脚支柱１２は通常、バネ１３ｃの弾発力により図２に示されるように、椅子３が前傾した状態、すなわち椅子３の収容状態を維持しているが、着座者が着座しようとして椅子３をその弾発力に抗して後方へ回動する場合は、座板が後方に配置された机２の天板５より下方前面に近接する位置まで脚支柱１２が回動する。尚、図示していないが、椅子３の前傾位置と着座位置とで脚支柱１２の移動が停止される公知のストッパ機構が内蔵されている。
【００２５】
この蓋部１３ｂの内部の構成により、後述する椅子３の収容状態において、バネ１３ｃの付勢により椅子３が前傾した状態を維持し、この収容状態から脚支柱１２に後方に向かう外力が加えられることで、脚支柱１２の前方の内周面に弾接されたバネ１３ｃの一端がこの弾接状態を維持して後方に向かって弾性変形しながら、脚支柱１２が回動するようになっている。
【００２６】
次に椅子３の使用例について図２ないし図６を基づき説明する。尚、本実施例において着座者Ｈは最前列の左方側の椅子３に着座するものとして説明する。
【００２７】
図２に示されるように、着座者Ｈが着座するときには、着座者Ｈが椅子３と机２との間に形成される通路Ｒに移動する。この状態においては、椅子３が使用されておらず、椅子３が収容状態である。この収容状態において、座板１１が脚支柱１２に対して前傾した状態で取り付けられているため、座板１１が前後方向に短縮した状態で配置されることになる。これにより、ベース１３をより机２に近接した位置に配置することができ、机間の前後方向の間隔を短くすることができるため、講義室等の所定の空間を利用して多くの机及び椅子を配置することできる。
【００２８】
そして、図２の状態から脚支柱１２を後方へ回動して椅子３を使用する動作に移る。図３に示されるように、着座者Ｈが座板１１を後方に移動させて椅子を使用するため、座板１１の先端部１１ｂに手をかける。まだ、この状態では椅子３は収容状態である。この収容状態において腰支持部１１ａの先端部１１ｂが、机２’天板５よりも下方であって、かつ、机２’の天板５の後端部５ａに対して腰支持部１１ａの先端部１１ｂが斜め後方に位置しており、腰支持部１１ａの先端部１１ｂとの天板の後端部５ａとの間に間隙Ｓが形成されている。これにより、先端部１１ｂとの天板の後端部５ａとの間にスペースが確保されるため、このスペースを利用して着座者Ｈが腰支持部１１ａの先端部１１ｂを把持しやすい。
【００２９】
次いで、図４に示されるように、図３の状態から着座者Ｈが座板１１に手をかけた状態で後方に向かう外力を加えて脚支柱１２を後方へ回動する回動作業を行う。この状態において、脚支柱１２が後方に回動することに追従して、前記したバネ１３ｃの一端が脚支柱１２の前方の内周面を弾接しながら弾発力を強めて弾性変形する。
【００３０】
そして、図４の状態からさらに着座できる位置まで後方に脚支柱１２を回動し、脚支柱１２の回動完了後、図５に示されるように着座者Ｈが座板１１に着座して椅子３を使用する状態となる。尚、この椅子３を使用する状態において着座者Ｈの体重により脚支柱１２に後方に向かう外力が加えられており、座板１１がバネ１３ｃの弾発力で前方に戻るようなことはない。
【００３１】
図５の状態においては、座板１１の腰支持部１１ａの先端部１１ｂは、椅子３の後方に配置された机２の天板５より下方前面に近接している。これにより、座板１１の着座操作が行われる際、椅子３の後方に配置された机２を使用する着座者が（２列目の椅子３に着座している図示されない仮想の着座者）が不用意に手を伸ばしても着座者の手指等が挟まれることがない。さらに、後方の机２の天板５の前方周辺に本等の物品が載置されていても、腰支持部１１ａの先端部１１ｂにより物品が接触したりすることも防止できる。また、腰支持部１１ａが椅子３の後方に配置された机２の天板５より下方前面に近接しているので、机同士を小さな間隔で設置することもできる。
【００３２】
また図５の状態において、後方の机２の前面における上部に背支持部１０が形成され、腰支持部１１ａの先端部１１ｂがこの背支持部１０よりも下方に位置している。これにより、背支持部１０を利用して着座者Ｈが背凭れした状態で着座するとき、疲れにくく安定した座り心地を得ることができる。
【００３３】
離席するときには、着座者Ｈが起立して、椅子３から退避する。そして着座者Ｈが椅子３から退避した後、脚支柱１２に後方に向かう外力が加えられない状態となるため、図６に示されるように、バネ１３ｃの弾性復帰力により脚支柱１２が前方に回動して椅子３が天板５の下方に収容される収容状態に復帰する。このバネ１３ｃにより、着座者が椅子３を収容する手間を煩わせることなく自動的に椅子３が収容される。
【００３４】
特に、本実施例において、机２の長手方向に沿って、椅子３が３つ配置されているが、机の長さに応じて数多くの椅子を並べることができるので、人を大勢収容することを目的とする講義室等で使用するのに適している。また、椅子３が机２の長手方向に沿って複数配置されても、椅子２と後方に配置された机２との間に十分なスペースが確保できるため、窮屈な姿勢をとることなく着座することができる。
【００３５】
また、本実施例において、上述したように、座板１１が脚支柱１２に対して前傾した状態で取り付けられている。このため、詳しくは図７に示されるように、ベース１３をより机２に近接した位置に配置することができることにより、椅子３の収容状態において椅子３と該椅子３の後方の机２との間に十分なスペースが確保できるため、通行者Ｔが容易に椅子３の後方の通路Ｒを通行することができる。
【００３６】
また、図７の状態において椅子３が机２’の長手方向に沿って複数配置されても、椅子３と該椅子３の後方に配置された机２’に十分なスペースが確保されるため、清掃等の際、清掃者が通路Ｒを通行しやすく、スムーズに清掃作業を行うことができる。
【００３７】
また本実施例おいて、バネ１３ｃによりベース１３に対して前方に付勢された状態で脚支柱１２が前後方向に回動可能に枢支されている。このため、図８に示されるように着座者Ｈ’が着座している状態で着座者Ｈ’が着座している椅子３よりも奥側の椅子３に通行者Ｔ’が着座する場合には、着座者Ｈ’が前方に前傾して中腰姿勢をとることにより、これに追従してバネ１３ｃの弾性復帰力により脚支柱１２が前方に回動するため、椅子３と該椅子３の後方の机２’との通路Ｒの通路幅が十分確保されるため、通行者Ｔ’が通路Ｒを通行することができる。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、前記実施例では、バネ１３ｃによりベース１３に対して前方に付勢された状態で脚支柱１２が前後方向に回動可能に枢支されているが、これに限らず、脚支柱がバネ等の付勢手段により前方に付勢されていなくてもよく、椅子の使用時は手動で脚支柱を着座できる使用位置に回動し、椅子の使用後は手動で収容位置に脚支柱を回動して椅子を机の下方に収容するものであってもよい。
【００４０】
また、前記実施例では、腰支持部１１ａは座板１１の後端部から上方に向かって延設されているが、これに限らず、別体の腰支持部が座板に一体的に取り付けられるものであってもよい。
【００４１】
また、背支持部１０は脚体６間に連続して配設した例で説明したが、椅子の幅に合わせて部分的に配設してもよい。
【００４２】
また、本実施例における椅子３は教育機関用の椅子に限らず、例えば集会所や会議室、待合室等の椅子及び机にも適用することができる。
【図面の簡単な説明】
【００４３】
【図１】本発明の実施例における教育施設等の講義室内に机と椅子配置された全体像を示す斜視図である。
【図２】図１の側面図である。
【図３】着座者が未だ着座していない状態を示す側面図である。
【図４】脚支柱が回動している状態を示す側面図である。
【図５】着座者が着座している状態を示す側面図である。
【図６】着座者が起立した後の椅子の状態を示す側面図である。
【図７】椅子の収容状態において通行者が椅子の後方を通行する状態を示す側面図である。
【図８】着座者が着座している状態において通行者が椅子の後方を通行する状態を示す側面図である。
【符号の説明】
【００４４】
１                講義室
２                机
３                椅子
４                境界ボード
５                天板
５ａ              後端部
６                脚体
６ａ              脚体の上端面
７                補強板
８                天板支持材
９                脚ベース体
１０              背支持部
１１              座板
１１ａ            腰支持部
１１ｂ            先端部（先端の部分）
１１ｃ            取付板
１１ｄ            座面
１２              脚支柱
１２ａ            支持部材
１３              ベース
１３ａ            基部
１３ｂ            蓋部
１３ｃ            バネ
１４              床面
Ｈ                着座者
Ｈ’              着座者
【図１】
0005201896.tif 000002
【図２】
0005201896.tif 000003
【図３】
0005201896.tif 000004
【図４】
0005201896.tif 000005
【図５】
0005201896.tif 000006
【図６】
0005201896.tif 000007
【図７】
0005201896.tif 000008
【図８】
0005201896.tif 000009